(57)【要約】【課題】改装サッシが強固にかつ安定した状態にて取り付けられる改装サッシユニット等を提供する。【解決手段】室内外を連通する開口に設けられている既設サッシの既設枠に設けられる改装サッシユニットであって、新たに設けられる改装サッシと、前記改装サッシの改装枠と前記既設枠との間に介在される下地枠と、を有し、前記下地枠が取り付けられた前記改装枠は、室外側にて、見込み方向に進入する室外側固定ビスにて前記下地枠を介して前記既設枠に固定され、室内側にて前記開口の外方に進入する室内側固定ビスにて前記既設枠または前記躯体に固定される。【選択図】図１
2011226178.tif 000002
【特許請求の範囲】
【請求項１】
室内外を連通する開口に設けられている既設サッシの既設枠に設けられる改装サッシユニットであって、
新たに設けられる改装サッシと、
前記改装サッシの改装枠と前記既設枠との間に介在される下地枠と、を有し、
前記下地枠が取り付けられた前記改装枠は、室外側にて、見込み方向に進入する室外側固定ビスにて前記下地枠を介して前記既設枠に固定され、
室内側にて前記開口の外方に進入する室内側固定ビスにて前記既設枠または躯体に固定されることを特徴とする改装サッシユニット。
【請求項２】
請求項１に記載の改装サッシユニットであって、
前記下地枠は、室外側に配置され前記改装サッシの前記改装枠に係合又は固定される金属部分と、
室内側に配置され前記金属部分と連結された非金属部分と、を有することを特徴とする改装サッシユニット。
【請求項３】
請求項１または請求項２に記載の改装サッシユニットであって、
前記改装サッシは、改装内障子と改装外障子とを備えた引き違いサッシであり、
前記室内側固定ビスは、前記改装内障子が案内される内レールより室内側にて締め込まれることを特徴とする改装サッシユニット。
【請求項４】
請求項１乃至請求項３のいずれかに記載の改装サッシユニットであって、
前記下地枠は、前記室内側固定ビスが挿通される挿通孔を有していることを特徴とする改装サッシユニット。
【請求項５】
請求項１乃至請求項３のいずれかに記載の改装サッシユニットであって、
前記室内側固定ビスは、前記下地枠の室内側に配置されることを特徴とする改装サッシユニット。
【請求項６】
室内外を連通する開口に設けられている既設サッシの既設枠に設けられる改装サッシユニットの取付方法であって、
新たに設けられる改装サッシの改装枠に、当該改装枠と前記既設枠との間に介在される下地枠を取り付ける下地枠取付工程と、
前記下地枠が取り付けられた前記改装枠を、室外側にて、見込み方向に進入する室外側固定ビスにて前記下地枠を介して前記既設枠に固定する室外側固定工程と、
室内側にて前記開口の外方に進入する室内側固定ビスにて前記既設枠または前記躯体に固定する室内側固定工程と、を有することを特徴とする改装サッシユニットの取付方法。
【発明の詳細な説明】
【技術分野】
【０００１】
本発明は、既設サッシの既設枠に設けられる改装サッシユニット及び改装サッシユニットの取付方法に関する。
【背景技術】
【０００２】
改装サッシユニットとしては、建物の開口部に設けられた既設サッシの既設枠の内周側に下地枠を介して取り付けられるリフォームサッシが知られている（例えば、特許文献１参照）。
【０００３】
このようなリフォームサッシは、開口を形成する内周面にビスにて取り付けられた下地枠に、リフォーム用サッシ枠材がビスにて固定されている。
【先行技術文献】
【特許文献】
【０００４】
【特許文献１】特開２００２−３７１３５５号公報
【発明の概要】
【発明が解決しようとする課題】
【０００５】
上記のようなリフォームサッシは、建物躯体に取り付けられている既設サッシ枠に下地枠がビスにて取り付けられており、既設サッシ枠に取り付けられている下地枠にリフォーム用サッシ枠材がビスにて取り付けられる。このため、リフォーム用サッシ枠材と建物躯体との間には、既設サッシ枠及び下地材が介在されており、フォーム用サッシ枠材が取り付けられた下地材が建物躯体に取り付けられるので、取り付け強度が低く安定性が劣る虞がある。
【０００６】
本発明は、かかる課題に鑑みてなされたものであり、その目的とするところは、改装サッシが強固にかつ安定した状態にて取り付けられる改装サッシユニット及び改装サッシユニットの取付方法を提供することにある。
【課題を解決するための手段】
【０００７】
かかる目的を達成するために本発明の改装サッシユニットは、室内外を連通する開口に設けられている既設サッシの既設枠に設けられる改装サッシユニットであって、新たに設けられる改装サッシと、前記改装サッシの改装枠と前記既設枠との間に介在される下地枠と、を有し、前記下地枠が取り付けられた前記改装枠は、室外側にて、見込み方向に進入する室外側固定ビスにて前記下地枠を介して前記既設枠に固定され、室内側にて前記開口の外方に進入する室内側固定ビスにて前記既設枠または躯体に固定されることを特徴とする改装サッシユニットである。
【０００８】
このような改装サッシユニットによれば、改装枠は室内側にて既設枠または躯体に固定されるので、改装枠が取り付けられた下地部材が既設枠または躯体に取り付けられる場合より、強固にかつ安定した状態にて取り付けることが可能である。また、改装枠を室外側にて固定する室外側固定ビスは見込み方向に進入し、室内側にて固定する室内側固定ビスは開口の外方に進入する。すなわち、室外側固定ビスと室内側固定ビスとでは、締め込まれる方向が相違する。このため、改装枠は、互いに異なる方向に締め込まれる室外側固定ビスと室内側固定ビスにて取り付けられるので、所定の一方向に力が作用しても外れ難い。このため同一の方向に締め込まれるビスのみにて取り付けられる場合より強固に取り付けることが可能である。
【０００９】
かかる改装サッシユニットであって、前記下地枠は、室外側に配置され前記改装サッシの前記改装枠に係合又は固定される金属部分と、室内側に配置され前記金属部分と連結された非金属部分と、を有することが望ましい。  
このような改装サッシユニットによれば、下地枠は、室外側に配置されて改装サッシの改装枠に係合又は固定される金属部分、及び、室内側に配置されるとともに金属部分と連結された非金属部分を有しているので、室外側にて金属部分を係合又は固定して位置決めし、室内側の非金属部分を適宜加工して改装枠と前記既設枠との間に介在させることが可能である。特に非金属部分が室内側に配置されるので室内側の部位の加工が容易であり、設備が揃わない現場での作業であっても、下地枠に孔を形成したり短く切断する等の加工を施して容易に改装サッシを取り付けることが可能である。また、下地枠が室外側に金属部分を有し、室内側に非金属部分を有しているので、室外の熱が下地枠により室内側に伝達されることはない。このため、断熱性を有する改装サッシユニットを提供することが可能である。
【００１０】
かかる改装サッシユニットであって、前記改装サッシは、改装内障子と改装外障子とを備えた引き違いサッシであり、前記室内側固定ビスは、前記改装内障子が案内される内レールより室内側にて締め込まれることが望ましい。  
このような改装サッシユニットによれば、室内側固定ビスが、内障子が案内される内レールより室内側にて締め込まれるので、改装枠を確実に室内側の位置にて強固に固定することが可能である。
【００１１】
かかる改装サッシユニットであって、前記下地枠は、前記室内側固定ビスが挿通される挿通孔を有していることが望ましい。  
このような改装サッシユニットによれば、下地枠には室内側固定ビスが挿通される挿通孔が設けられているので、室内側固定ビスを下地枠に締め込むことなく既設枠または躯体に取り付けることが可能である。
【００１２】
かかる改装サッシユニットであって、前記室内側固定ビスは、前記下地枠の室内側に配置されることが望ましい。  
このような改装サッシユニットによれば、室内側固定ビスは、下地枠の室内側に配置されるので、室内側固定ビスを下地枠に締め込むことなく既設枠または躯体に取り付けることが可能である。
【００１３】
また、室内外を連通する開口に設けられている既設サッシの既設枠に設けられる改装サッシユニットの取付方法であって、新たに設けられる改装サッシの改装枠に、当該改装枠と前記既設枠との間に介在される下地枠を取り付ける下地枠取付工程と、前記下地枠が取り付けられた前記改装枠を、室外側にて、見込み方向に進入する室外側固定ビスにて前記下地枠を介して前記既設枠に固定する室外側固定工程と、室内側にて前記開口の外方に進入する室内側固定ビスにて前記既設枠または前記躯体に固定する室内側固定工程と、を有することを特徴とする改装サッシユニットの取付方法である。
【００１４】
このような改装サッシユニットの取付方法によれば、改装枠を室内側にて既設枠または躯体に固定するので、改装枠が取り付けられた下地部材が既設枠または躯体に取り付けられる場合より、強固にかつ安定した状態にて取り付けることが可能である。また、改装枠を、室外側にて固定する室外側固定ビスを見込み方向に進入させ、室内側にて固定する室内側固定ビスを開口の外方に進入させるので、室外側固定ビスと室内側固定ビスとを互いに方向を違えて締め込むことが可能である。すなわち、改装枠を、互いに異なる方向に締め込まれる室外側固定ビスと室内側固定ビスにて取り付けるので、所定の一方向に力が作用しても外れ難い。このため同一の方向に締め込まれるビスのみにて取り付ける場合より強固に取り付けることが可能である。
【発明の効果】
【００１５】
本発明によれば、改装サッシが強固にかつ安定した状態にて取り付けられる改装サッシユニット及び改装サッシユニットの取付方法を提供することが可能である。
【図面の簡単な説明】
【００１６】
【図１】本発明の一実施形態に係る改装サッシユニット及び改装サッシユニットの取付方法を説明するための斜視図である。
【図２】本実施形態に係る改装サッシユニットを説明するための縦断面図である。
【図３】本実施形態に係る改装サッシユニットを説明するための水平断面図である。
【図４】改装サッシユニットの変形例を説明するための縦断面図である。
【発明を実施するための形態】
【００１７】
以下、本発明の一実施形態に係る改装サッシユニット及び改装サッシユニットの取付方法について図面を参照して説明する。
【００１８】
本実施形態の改装サッシユニット１は、例えば、新たに設けられる改装サッシ１０と、建物の室内外を連通する開口２に設けられている既設サッシの既設枠５０と前記改装サッシ１０との間に介在される下地枠３０と、を有している。本実施形態では、図１に示すように、屋内外を連通する開口２に既設枠５０が設けられている。
【００１９】
以下の説明においては、建物等に取り付けられた状態の既設枠５０及び改装サッシ１０を屋内側から見たときに、上下となる方向を上下方向、左右となる方向を左右方向または見付け方向、屋内外方向である奥行き方向を見込み方向として示す。また、改装サッシユニットが備える各部材は、単体の状態であっても開口２に取り付けられた状態で上下方向、見付け方向、見込み方向等となる方向にて方向を特定して説明する。また、開口２の上部に取り付けられる枠部材の下側、開口２の下部に取り付けられる枠部材の上側、開口２の左側に取り付けられる枠部材の右側、開口２の右側に取り付けられる部材の左側は、開口２の中央側とし、反対側を開口２の外側または外方として示す。
【００２０】
本実施形態においては、建物に既に設けられている既存の既設枠５０と、既設枠５０を開口２の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００２１】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて開口２に設けられている。尚、既設上枠５１、既設下枠５２、及び、左右の既設縦枠５３は押出成形部材であり、左右の既設縦枠は、既設障子と係合する既設係合片５３ａの位置は異なるものの、ほぼ互いに左右対称の形状をなしている。
【００２２】
既設枠５０は、既設上枠５１が躯体３をなす窓まぐさ３ａに、既設下枠５２が躯体３をなす窓台３ｂに、左右の既設縦枠５３が躯体３をなす柱（方立）３ｃにそれぞれ固定されている。既設上枠５１、既設下枠５２、既設縦枠５３は、いずれも、見込み方向において、窓まぐさ３ａ、窓台３ｂ、柱３ｃのほぼ半分から屋外側に設けられている。
【００２３】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃとが、見込み方向に互いに間隔を隔てて設けられている。
【００２４】
既設内上レール５１ａと、既設外上レール５１ｂと、既設網戸上レール５１ｃとは、既設上枠５１の見付け方向の全域に渡って鉛直方向に垂設されている。ここで、既設網戸上レール５１ｃは、既設枠５０の屋外側に設けられ、屋外に臨む面５１ｄを形成する部位である。既設上枠５１は、既設内上レール５１ａと既設外上レール５１ｂとを繋ぐ部位が躯体３をなす窓まぐさ３ａにビスにて固定されている。
【００２５】
既設下枠５２は、既設内障子（不図示）を案内するための既設内下レール５２ａと、既設外障子（不図示）を案内するための既設外下レール５２ｂと、既設網戸（不図示）を案内するための既設網戸下レール５２ｃとが、見込み方向に互いに間隔を隔てて設けられている。既設内下レール５２ａと、既設外下レール５２ｂと、既設網戸下レール５２ｃとは、既設下枠５２の見付け方向の全域に渡って上方に突出させて設けられている。
【００２６】
既設網戸下レール５２ｃは、躯体３をなす窓台３ｂより屋外側に設けられており、窓台３ｂの上面より下方に延出されて窓台３ｂに固定される窓台固定部５２ｄを有している。ここで、窓台固定部５２ｄは、既設枠５０の屋外側に設けられ、室外に臨む面を形成する部位である。既設下枠５２は、屋外側の端部に設けられた窓台固定部５２ｄがビスにて窓台３ｂに固定されている。
【００２７】
既設縦枠５３は、見込み方向に沿う平面でなる既設縦枠本体部５３ｂと、既設縦枠本体部５３ｂから開口２の中央側に突出され既設障子の既設戸先框が係合される既設係合片５３ａと、既設枠５０の屋外側にて配置され既設縦枠本体部５３ｂから開口２の中央側に突出され既設網戸の既設縦框に挿入される既設挿入片５３ｄと、既設挿入片５３ｄと見付け方向において反対側に突出された縁部５３ｅと、を有している。ここで、既設挿入片５３ｄは、既設枠５０の屋外側に設けられ、室外に臨む面を形成する部位である。
【００２８】
下地枠３０は、横材としての下地上枠３１、下地下枠３２、左右に配置される縦材としての下地縦枠３３を有し、改装サッシ１０の改装枠２０に各々が取り付けられるとともに、隣接する部位がビス止めされて枠組みされる。
【００２９】
下地上枠３１、下地下枠３２、左右の下地縦枠３３はいずれも、屋外側に配置される金属部分としてのアルミニウム製のアルミ枠部３１ａ、３２ａ、３３ａと、屋内側に配置される非金属部分としての木製の木枠部３１ｂ、３２ｂ、３３ｂとを有し、アルミ枠部３１ａ、３２ａ、３３ａと木枠部３１ｂ、３２ｂ、３３ｂとがビス６４ｂにて固定されている。ここで、ビス６４ｂは木部に螺合される木ねじである。
【００３０】
下地上枠３１、下地下枠３２、左右の下地縦枠３３の木枠部３１ｂ、３２ｂ、３３ｂは、平板状をなしており、窓まぐさ３ａ、窓台３ｂ、柱３ｃの開口２を形成する面との間に飼木６３を介して配置されており、下地上枠３１と左右の下地縦枠３３との木枠部３１ｂ、３３ｂは、窓まぐさ３ａ、柱３ｃの見込み方向の幅における約２／３の幅を有し、下地下枠３２の木枠部３２ｂは、窓台３ｂの見込み方向の幅における約半分の幅を有している。
【００３１】
下地上枠３１のアルミ枠部３１ａは、木枠部３１ｂの屋外側の端が挿入される溝部３１ｃと、溝部３１ｃの屋外側の壁部３１ｄを共有して溝部３１ｃの屋外側に形成され、木枠部３１ｂとは隔離された隔離空間としての中空部３１ｅとを有している。中空部３１ｅは、最も屋外側に配置され屋外に臨む面３１ｉを形成する上外面部３１ｆと、上外面部３１ｆの上端と溝部３１ｃとを繋ぐ上面部３１ｇと、上外面部３１ｆの下端と溝部３１ｃとを繋ぎ改装枠２０と対面する下面部３１ｈと、を有している。
【００３２】
上外面部３１ｆは、下地上枠３１が改装上枠２１に取り付けられた際に、上外面部３１ｆの屋外に臨む面３１ｉと改装網戸上レール２１ｃの屋外に臨む面２１ｅとが平坦になるように構成されている。
【００３３】
溝部３１ｃと中空部３１ｅとが共有する壁部３１ｄ、上外面部３１ｆ、及び、下面部３１ｈにおける壁部３１ｄと上外面部３１ｆとの中間の部位からは下方に突出して改装枠２０に当接される当接突起３１ｊが設けられている。また、上面部３１ｇは、上外面部３１ｆと繋がる水平な外端部３１ｋが溝部３１ｃと繋がる水平な溝側部位３１ｌより低い位置に設けられているため、外端部３１ｋと溝側部位３１ｌとの間には屋内側に向かって下方に傾斜する中継部３１ｍが設けられている。溝側部位３１ｌには、シール材２９が損傷して屋外側から水が浸入した場合に、水を中空部３１ｅ内に浸入させるための孔部（不図示）が設けられている。また、外端部３１ｋの屋内側の端部は上方に立ち上げられて既設上枠５１の既設網戸上レール５１ｃと対面する上取付片３１ｎが設けられている。
【００３４】
下地上枠３１の木枠部３１ｂには、改装上枠２１を窓まぐさ３ａに直接取り付けるための室内側固定ビス６４ａが挿通される挿通孔３１ｐが見付け方向に互いに間隔を隔てて３カ所に設けられている。挿通孔３１ｐの直径は室内側固定ビス６４ａのねじ部の外径より十分に大きいため、室内側固定ビス６４ａは木枠部３１ｂには螺合されていない。
【００３５】
左右の下地縦枠３３は、下地上枠３１と同様に木枠部の屋外側の端が挿入される溝部３３ｃと、溝部３３ｃの屋外側の壁部３３ｄを共有して溝部３３ｃの屋外側に形成され、木枠部３３ｂとは隔離された隔離空間としての中空部３３ｅとを有している。下地縦枠３３の中空部３３ｅは、水平断面がほぼ長方形状をなしている。中空部３３ｅの最も屋外側に配置され屋外に臨む面３３ｉを形成する縦外面部３３ｆは、上外面部３１ｆ及び改装縦枠２３の外向平面２３ｆと同じ平面を形成するように設けられている。また、縦外面部３３ｆは、開口２の中央側に延出されるとともに、その先端に、改装縦枠２３の縁部２３ｅと係合する係合部３３ｈが形成されている。中空部３３ｅの、開口２の中央側の壁部には、下地枠３０が枠組みされた際に、下地上枠３１の中空部３１ｅと下地縦枠３３の中空部３３ｅとが連通する連通孔３３ｊ（図２参照）が形成されている。
【００３６】
下地縦枠３３の木枠部３３ｂには、改装縦枠２３を柱３ｃに直接取り付けるための室内側固定ビス６４ａが挿通される挿通孔３３ｋが上下方向に互いに間隔を隔てて４カ所に設けられている。挿通孔３３ｋの直径は室内側固定ビス６４ａのねじ部の外径より十分に大きいため、室内側固定ビス６４ａは木枠部３３ｂには螺合されていない。
【００３７】
下地下枠３２は、木枠部３２ｂの屋外側の面と対面する外対面部３２ｃと、木枠部３２ｂの下面と対面する下対面部３２ｄとがＬ字状に形成された木枠対面部３２ｅと、屋外側に配置された中空部３２ｆと、下対面部３２ｄが延出されて中空部３２ｆの上端と連結された連結部３２ｇとを有している。中空部３２ｆの最も屋外側に配置され屋外に臨む平面を形成する下外面部３２ｈは、上外面部３１ｆ、縦外面部３３ｆ、及び、改装下枠２２の改装網戸下レール２２ｃの屋外に臨む面と同じ平面を形成するように設けられている。また、中空部３２ｆの下端の屋外側には、既設下枠５２の窓台固定部５２ｄと対面し、窓台固定部５２ｄとともに窓台３ｂに固定される固定片３２ｉが設けられている。また、中空部３２ｆの屋外側の上端部には、改装下枠２２の下地係合部２２ｋと係合する係合凹部３２ｊが設けられている。
【００３８】
下地下枠３２は、屋内側において、図１に示すように、取付部材としての保持金具４１を介して改装枠２０と固定されている。保持金具４１は、平板状の板金の一部が曲げ起こされて形成され、曲げ起こされた取付片４１ａを挟むように平板部４１ｂが形成されている。保持金具４１には、取付片４１ａに１つと、平板部４１ｂに２つの貫通孔が設けられている。保持金具４１は、平板部４１ｂに設けられた２つの貫通孔の一方を貫通する短いビス６４ｂにて下地枠３０の木枠部３２ｂに固定され、２つの貫通孔の他方を貫通する長いビス６４ｃが下地枠３０の木枠部３２ｂを貫通して躯体３に螺合されることにより躯体３に固定されている。取付片４１ａは、改装下枠２２が有する額縁当接部２２ｄの下端に当接されるとともにビス６７にて固定されている。
【００３９】
改装サッシ１０は、建物等の開口２に直接新設可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。枠組みされた改装枠２０の外周には、後述する下地枠３０が組み付けられる。尚、改装上枠２１、改装下枠２２、及び、左右の改装縦枠２３は押出成形部材であり、左右の改装縦枠２３は改装障子１２ａ、１２ｂとの改装係合片２３ａを除いて互いに左右対称の形状をなしている。
【００４０】
改装上枠２１は、改装内障子１２ａを案内するための改装内上レール２１ａと、改装外障子１２ｂを案内するための改装外上レール２１ｂと、改装網戸１４を案内するための改装網戸上レール２１ｃとが、見込み方向に互いに間隔を隔てて設けられている。改装内上レール２１ａと、改装外上レール２１ｂと、改装網戸上レール２１ｃとは、改装上枠２１の見付け方向の全域に渡って鉛直方向に垂設されている。また、改装網戸上レール２１ｃは、改装上枠２１の最も屋外側に設けられている。
【００４１】
改装上枠２１の改装内上レール２１ａと改装外上レール２１ｂとの間にて分断されており、屋外側の部位と屋内側の部位とが断熱材２４を介して接合されて断熱性が確保されている。改装上枠２１の上部には、改装外上レール２１ｂと断熱材２４との間に位置させて、下地上枠３１と接合するためのビス６６が螺合されるタップ孔が形成されている。
【００４２】
改装上枠２１は、内レールとしての改装内上レール２１ａの屋内側の部位が、当該改装上枠２１の屋内側の部位を覆う覆い部材２５とともに窓まぐさ３ａに至る室内側固定ビス６４ａにて直接窓まぐさ３ａに固定される。このとき、室内側固定ビス６４ａは、窓まぐさ３ａと改装上枠２１との間に介在されている下地上枠３１に設けられた挿通孔３１ｐに挿通されており、室内側固定ビス６４ａは下地上枠３１に螺合されない。ここで、室内側固定ビス６４ａは木部に螺合される木ねじである。
【００４３】
改装下枠２２は、改装内障子１２ａを案内するための改装内レール２２ａと、改装外障子１２ｂを案内するための改装外レール２２ｂと、改装網戸１４を案内するための改装網戸下レール２２ｃとが、見込み方向に互いに間隔を隔てて設けられている。改装下枠２２の屋内側の端部は、改装サッシ１０の屋内側に設けられた額縁６０に当接される平面を有する額縁当接部２２ｄが設けられている。額縁当接部２２ｄの下端は、後述する下地枠３０に設けられた取付部材としての保持金具４１に当接されるとともに、保持金具４１に設けられた取付片４１ａにビス６７にて固定される。
【００４４】
額縁当接部２２ｄと改装内レール２２ａとを繋ぐ部位のほぼ中央には、下方に延出されて保持金具４１に支持される屋内側脚部２２ｅと、改装内レール２２ａの下方に延出されて下地枠３０に支持される中央脚部２２ｆと、改装外レール２２ｂの下方に延出されて下地枠３０に支持される屋外側脚部２２ｇと、を有し、中央脚部２２ｆと屋外側脚部２２ｇとが下端側にて連結された連結部２２ｈを有している。また、連結部２２ｈから屋外側に、改装網戸下レール２２ｃとほぼ同じ位置まで延出された延出部２２ｉが形成され、延出部２２ｉの先端には、下地下枠３２と係合する下地係合部２２ｋが設けられている。
【００４５】
改装縦枠２３は、見込み方向に沿う平面を有する改装縦枠本体部２３ｂと、改装縦枠本体部２３ｂから開口２の中央側に突出され改装障子１２ａ、１２ｂの改装戸先框１２ｃが係合される改装係合片２３ａと、改装枠２０の最も屋外側に配置され改装縦枠本体部２３ｂから開口２の中央側に突出され改装網戸１４の改装縦框１４ａに挿入される改装挿入片２３ｄと、改装枠２０の最も屋外側に配置され改装挿入片２３ｄと見付け方向において反対側に突出された縁部２３ｅと、を有している。
【００４６】
改装縦枠２３の最も屋外側に配置された改装挿入片２３ｄと縁部２３ｅとは、屋外側に臨む外向平面２３ｆを形成している。また、改装縦枠２３は、改装上枠２１が有する内レールとしての改装内上レール２１ａの屋内側に相当する部位が、柱３ｃに至る室内側固定ビス６４ａにて直接柱３ｃに固定される。このとき、室内側固定ビス６４ａは、柱３ｃと改装縦枠２３との間に介在されている下地縦枠３３に設けられた挿通孔３３ｋに挿通されており、室内側固定ビス６４ａは下地縦枠３３に螺合されない。
【００４７】
本実施形態の改装サッシユニット１の取付方法は、まず、改装枠２０を予め工場にて矩形状に枠組みしておく。このとき、改装枠２０の外周側に水密材としてのシール部材２８を全周に亘って設けておく。このシール部材２８は、改装枠２０に下地枠３０が取り付けられた状態で、下地枠３０の木枠部３１ｂ、３２ｂ、３３ｂより屋外側に位置して、アルミ枠部３１ａ、３２ａ、３３ａと改装枠２０とに圧縮された状態で設けられている。
【００４８】
枠組みされた改装枠２０に、下地枠３０を構成する下地上枠３１、下地下枠３２、下地縦枠３３を固定する。具体的には、まず下地上枠３１を改装上枠２１の外周側に配置させるとともに、改装網戸上レール２１ｃの屋外に臨む面２１ｅと上外面部３１ｆの屋外に臨む面３１ｉとが平坦な面を形成するように下地上枠３１を配置させ、上面部３１ｇの溝側部位３１ｌに設けられている孔を貫通させたビス６６にて上方から改装上枠２１に固定する。
【００４９】
次に、下地縦枠３３の係合部３３ｈを改装縦枠２３の縁部２３ｅに係合させるとともに、下地上枠３１の両端部に当接された下地縦枠３３を下地上枠３１にビスにて固定する。このとき、下地上枠３１及び下地縦枠３３には、室内側固定ビス６４ａが挿通される挿通孔３１ｐ、３３ｋが形成されている。また、改装サッシユニット１を取り付ける施工現場の既設枠５０及び既設枠５０が取り付けられている躯体３の寸法に合わせて、下地枠３０が有する下地上枠３１の木枠部３１ｂ、下地下枠３２の木枠部３２ｂ、下地縦枠３３の木枠部３３ｂを切断して調節しておく。
【００５０】
次に、改装下枠２２の下地係合部２２ｋと下地下枠３２の係合凹部３２ｊとを係合させて、左右の下地縦枠３３の外周側から下地下枠３２を挟むようにビスにて固定する。このとき、下地上枠３１の端部に下地縦枠３３の側面を当接させてビスにて固定する。この状態にて、下地上枠３１、下地下枠３２、左右の下地縦枠３３が枠組みされるとともに改装枠２０に取り付けられる（下地枠取付工程）。
【００５１】
次に、下地枠３０と改装枠２０とを保持金具４１を介して接合して改装サッシユニット１を形成する。すなわち、改装下枠２２と下地下枠３２とを、保持金具４１を介してビス６４ｂ、６７にて固定する。ここで、下地枠３０と改装枠２０とを保持金具４１を介して接合して改装サッシユニット１を形成する工程も含めて下地枠取付工程としても良い。下地枠取付工程は、改装サッシユニット１を施工現場に搬入する前に工場などにて行われる。
【００５２】
ところで、既設サッシから改装サッシ１０に改装する場合には、例えば、単板のガラスで構成される障子を有する既設サッシから、複層ガラスで構成される障子を有する改装サッシに変更する場合がある。この場合には、既設枠５０の見込み方向の幅が、改装サッシ１０の改装枠２０の見込み方向の幅より狭いため、図２、図３に示すように、既設枠５０の屋内側に飼木６３を設ける。飼木６３は、窓まぐさ３ａ、窓台３ｂ、柱３ｃにおいて、開口２の中央側の面に当接させて、見込み方向において屋内側に配置させて固定する。
【００５３】
次に、組み立てた改装サッシユニット１を屋外側から、既設枠５０及び飼木６３の内側に挿入する。このとき、下地上枠３１の上取付片３１ｎが既設枠５０の既設網戸上レール５１ｃの屋外に臨む面５１ｄに当接されて位置決めされ、屋外側から見込み方向に屋内側に向かって進入する室外側固定ビス６５にて上取付片３１ｎを既設網戸上レール５１ｃに固定する（室外側固定工程）。ここで、ビス６５は金属に螺合されるセルフタップねじである。
【００５４】
また、下地下枠３２の固定片３２ｉが既設枠５０の既設網戸下レール５２ｃの屋外に臨む面を形成する窓台固定部５２ｄに当接されて位置決めされ、屋外側から螺合されるビス６４ｃにて固定片３２ｉを既設網戸下レール５２ｃとともに躯体３に固定する。
【００５５】
その後、改装上枠２１の改装内上レール２１ａの屋内側にて、室内側固定ビス６４ａを開口２の中央側から外方に向けて進入させ、下地上枠３１に設けられた挿通孔３１ｐを挿通させて窓まぐさ３ａに直接固定する。また、改装縦枠２３における、改装上枠２１の改装内上レール２１ａより屋内側に相当する領域にて、室内側固定ビス６４ａを開口２の中央側から外方に向けて進入させ、下地縦枠３３に設けられた挿通孔３３ｋを挿通させて柱３ｃに直接固定する（室内側固定工程）。
【００５６】
最後に、屋内側に額縁６０を取り付けるとともに、屋外側の下地枠３０の外周部分にシール材２９を充填して、改装サッシ１０の取り付け作業が終了する。
【００５７】
本実施形態の改装サッシユニット１によれば、改装上枠２１は室内側にて窓まぐさ３ａに、また、改装縦枠２３は室内側にて柱３ｃに直接固定されるので、改装上枠２１が取り付けられた下地上枠３１及び改装縦枠２３が取り付けられた下地縦枠３３が躯体３に取り付けられる場合より、強固にかつ安定した状態にて、改装上枠２１及び改装縦枠２３を取り付けることが可能である。すなわち、改装枠２０を強固にかつ安定した状態にて躯体３に取り付けることが可能である。このとき、下地上枠３１及び下地縦枠３３には室内側固定ビス６４ａが挿通される挿通孔３１ｐ、３３ｋが設けられているので、改装枠２０と躯体３との間に下地枠３０が介在されていても、室内側固定ビス６４ａを下地枠３０に締め込むことなく躯体３に取り付けることが可能である。
【００５８】
このとき、室内側固定ビス６４ａが、改装内障子１２ａが案内される改装内上レール２１ａより室内側にて締め込まれるので、改装枠２０を確実に室内側の位置にて強固に固定することが可能である。
【００５９】
また、下地枠３０は、屋外側に配置されて改装サッシ１０の改装枠２０と係合又は固定されるアルミ枠部３１ａ、３２ａ、３３ａ、及び、室内側に配置されアルミ枠部３１ａ、３２ａ、３３ａと連結される木枠部３１ｂ、３２ｂ、３３ｂを有しているので、屋外側にてアルミ枠部３１ａ、３２ａ、３３ａを係合又は固定して位置決めし、室内側の木枠部３１ｂ、３２ｂ、３３ｂを適宜加工して改装枠２０と既設枠５０との間に介在させることが可能である。特に、下地上枠３１の木枠部３１ｂと下地縦枠３３の木枠部３３ｂが室内側に配置されるので室内側の部位の加工が容易であり、設備が揃わない現場での作業であっても、下地上枠３１、下地縦枠３３に挿通孔３１ｐ、３３ｋを形成する等の加工を施して容易に改装サッシ１０を取り付けることが可能である。また、下地枠３０が室外側にアルミ枠部３１ａ、３２ａ、３３ａを有し、室内側に木枠部３１ｂ、３２ｂ、３３ｂを有しているので、室外の熱が下地枠３０により室内側に伝達されることはない。このため、断熱性を備えた改装サッシユニット１の断熱性を損なうことなく改装することが可能である。
【００６０】
また、改装上枠２１を、室外側にて下地上枠３１を介して固定する室外側固定ビス６５は見込み方向に進入し、室内側にて改装上枠２１を窓まぐさ３ａに固定する室内側固定ビス６４ａは開口２の外方に進入する。すなわち、室外側固定ビス６５と室内側固定ビス６４ａとでは、締め込まれる方向が相違する。このため、改装枠２０は、互いに異なる方向に締め込まれる室外側固定ビス６５と室内側固定ビス６４ａにて取り付けられるので、所定の一方向に力が作用しても外れ難い。このため同一の方向に締め込まれるビスのみにて取り付けられる場合より強固に取り付けることが可能である。
【００６１】
本実施形態の改装サッシユニット１の取付方法によれば、改装上枠２１を室内側にて窓まぐさ３ａに、また、改装縦枠２３を室内側にて柱３ｃに固定するので、改装上枠２１が取り付けられた下地上枠３１及び改装縦枠２３が取り付けられた下地縦枠３３が躯体３に取り付けられる場合より、強固にかつ安定した状態にて、改装上枠２１及び改装縦枠２３を取り付けることが可能である。また、改装枠２０を、室外側にて固定する室外側固定ビス６５を見込み方向に進入させ、室内側にて固定する室内側固定ビス６４ａを開口２の外方に進入させるので、室外側固定ビス６５と室内側固定ビス６４ａとを互いに方向を違えて締め込むことが可能である。すなわち、改装枠２０を、互いに異なる方向に締め込まれる室外側固定ビス６５と室内側固定ビス６４ａにて取り付けるので、所定の一方向に力が作用しても外れ難い。このため同一の方向に締め込まれるビスのみにて取り付ける場合より強固に取り付けることが可能である。
【００６２】
上記実施形態においては、下地上枠３１及び下地縦枠３３に室内側固定ビス６４ａが挿通される挿通孔３１ｐ、３３ｋを備え、挿通孔３１ｐ、３３ｋを挿通させた室内側固定ビス６４ａを直接窓まぐさ３ａ及び柱３ｃに締め込む例について説明したが、これに限るものではない。例えば、図４に示すように、下地上枠３１及び下地縦枠３３の木枠部３１ｂ、３３ｂの室内側の縁３１ｑが、室内側固定ビス６４ａが締め込まれる位置よりも室外側に位置するように、下地上枠３１及び下地縦枠３３の木枠部３１ｂ、３３ｂを加工しておき、木枠部３１ｂ、３３ｂの縁３１ｑより室内側にて、室内側固定ビス６４ａを締め込んでもよい。
【００６３】
上記実施形態においては、改装上枠２１は室内側にて窓まぐさ３ａに、また、改装縦枠２３は室内側にて柱３ｃに固定される例、すなわち、改装枠２０が躯体３に直接、室内側固定ビス６４ａにて固定される例について説明したが、既設枠５０が上記実施形態より室内側まで存在するような場合には、室内側固定ビス６４ａを既設枠５０に固定しても良い。
【００６４】
上記実施形態においては、下地枠３０の木枠部３１ｂ、３２ｂ、３３ｂの寸法を工場等で施工現場の既設枠５０に合わせて調節しておく例について説明したが、木枠部３１ｂ、、３３ｂに挿通孔３１ｐ、３３ｋを設けたり、木枠部３１ｂ、３２ｂ、３３ｂ切断するだけなので、現場にて加工しても良い。すなわち、既設枠５０に合わせて加工する部位は非金属の木枠部３１ｂ、３２ｂ、３３ｂなので加工が容易であり、設備が揃わない現場での作業であっても容易に改装サッシ１０を取り付けることが可能である。
【００６５】
また、上記実施形態においては、下地枠３０の非金属部分を木製としたが、必ずしも木製でなくても良く、例えば、合成木や合成樹脂であっても構わない。
【００６６】
上記実施形態では、引き違い障子を備える既設枠との内周側に設けられる引き違い障子を備えた改装サッシユニットを例に挙げて説明したが、既設枠も改装サッシユニットも、例えば、開き窓、辷り出し窓及びＦＩＸ障子窓など、建具の種類及び組み合わせは、何れの形態であっても構わない
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６７】
１  改装サッシユニット、２  開口、３  躯体、１０  改装サッシ、
１２ａ  改装内障子、１２ｂ  改装外障子、２０  改装枠、
２１ａ  改装内上レール、３０  下地枠、３１  下地上枠、
３１ａ  アルミ枠部、３１ｂ  木枠部、３１ｐ  挿通孔、
３２  下地下枠、３２ａ  アルミ枠部、３２ｂ  木枠部、
３３  下地縦枠、３３ａ  アルミ枠部、３３ｂ  木枠部、３３ｋ  挿通孔、
５０  既設枠、６４ａ  室内側固定ビス、６５  室外側固定ビス
【図１】
2011226178.tif 000003
【図２】
2011226178.tif 000004
【図３】
2011226178.tif 000005
【図４】
2011226178.tif 000006